(57)【要約】【課題】  二匹のペットが落ち着くようにして、花婿衣装と花嫁衣装をそれぞれのペットに着せ、人と同じような結婚式の雰囲気を出して写真撮影することのできるペットの結婚式用スタジオ設備を提供する。【解決手段】  高さを自在調節できるようにして、上面にペットが乗ることのできる平らなステージを形成したステージ台１と、シート状のシート面２０に教会の写真２１又は絵２２が描かれ、且つ前記ステージ台１の背後に吊設されて垂れ下ると共にその垂れ下った下部が折曲して水平部２６を形成し、該水平部２６が前記ステージ台１上に敷かれるバックスクリーン２と、ペットサイズの大きさにして二匹のペット８,８がそれぞれ着用する洋装のペット用花婿衣装３及び花嫁衣装４と、を具備する。【選択図】  図１
2006271344.tif 000002
【特許請求の範囲】
【請求項１】
高さを自在調節できるようにして、上面にペットが乗ることのできる平らなステージを形成したステージ台(１)と、
シート状のシート面に教会の写真又は絵が描かれ、且つ前記ステージ台の背後に吊設されて垂れ下ると共にその垂れ下った下部が折曲して水平部を形成し、該水平部が前記ステージ台上に敷かれるバックスクリーン(２)と、
ペットサイズの大きさにして二匹のペットがそれぞれ着用する洋装のペット用花婿衣装(３)及び花嫁衣装(４)と、を具備することを特徴とするペットの結婚式用スタジオ設備。
【請求項２】
前記バックスクリーンのシート状シート面に教会内部の写真又は絵が描かれ、且つ前記水平部に遠近法によって教会内部の通路又は床面が描かれてなる請求項１記載のペットの結婚式用スタジオ設備。
【請求項３】
前記ステージ台と前記バックスクリーンと前記花婿衣装及び花嫁衣装とが、車両に搭載又は牽引されて移動可能にした請求項１又は２に記載のペットの結婚式用スタジオ設備。
【発明の詳細な説明】
【技術分野】
【０００１】
本発明はペットを写真撮影するスタジオ設備に関する。
【背景技術】
【０００２】
近年のペットブームにのって、ペットの写真を綺麗な形で残したい要望が増えつつある。ペット用写真に関する発明も提案されている(例えば特許文献１)。
【０００３】
【特許文献１】特開２００３−４８３８１公報
【０００４】
特許文献１は愛犬などのペットを写した写真をコンピュータの画像処理手段を用いてアルバムの表紙に取り入れた写真用アルバムを提供する。
【発明の開示】
【発明が解決しようとする課題】
【０００５】
しかるに、特許文献１はアルバムの価値を高めるもののペット写真の品質が向上するものでなかった。ペット用写真そのものの価値を高める一つに、ペットに衣装を身につけさせて写真を撮る手法がある。飼い主側からみて好ましい衣装をペットに着付けして写真を撮るペット専用の写真館なども登場している(例えばペット写真城(http://www.wanwan-alice.jp/))。
しかし、これは衣装を単にまとったペットの写真を撮るものであって、ハッピや浴衣等を着せ、ただかわいらしく写真撮影するものでしかなかった。写真の背景色は無地が殆どであった。タキシードやウエディングドレスを着せた写真撮影も行われるが、タキシード或いはウエディングドレスを一匹のペットに着せ、床に坐らせて写真撮影するにとどまっていた。これまで、ペットの結婚式を写真撮影するものは存在せず、教会の雰囲気をかもしだして写真に撮るといったスタジオ設備は存在しなかった。またペットは言葉が判らずスタジオ内で動き回るが、このペットを落ち着かせて写真撮影する設備も存在しなかった。
【０００６】
本発明は上記問題点を解決するもので、二匹のペットが落ち着くようにして、花婿衣装と花嫁衣装をそれぞれのペットに着せ、人と同じような結婚式の雰囲気を出して写真撮影することのできるペットの結婚式用スタジオ設備を提供することを目的とする。
【課題を解決するための手段】
【０００７】
上記目的を達成すべく、請求項１に記載の発明の要旨は、高さを自在調節できるようにして、上面にペットが乗ることのできる平らなステージを形成したステージ台(１)と、シート状のシート面に教会の写真又は絵が描かれ、且つ前記ステージ台の背後に吊設されて垂れ下ると共にその垂れ下った下部が折曲して水平部を形成し、該水平部が前記ステージ台上に敷かれるバックスクリーン(２)と、ペットサイズの大きさにして二匹のペットがそれぞれ着用する洋装のペット用花婿衣装(３)及び花嫁衣装(４)と、を具備することを特徴とするペットの結婚式用スタジオ設備にある。
請求項２の発明たるペットの結婚式用スタジオ設備は、請求項１で、バックスクリーンのシート状シート面に教会内部の写真又は絵が描かれ、且つ前記水平部に遠近法によって教会内部の通路又は床面が描かれてなることを特徴とする。
請求項３の発明たるペットの結婚式用スタジオ設備は、請求項１又は２で、ステージ台とバックスクリーンと花婿衣装及び花嫁衣装とが、車両に搭載又は牽引されて移動可能にしたことを特徴とする。
【発明の効果】
【０００８】
本発明のペットの結婚式用スタジオ設備は、二匹のペットが動き回ることなく静止状態になり写真が撮り易くなり、且つ花婿衣装と花嫁衣装をそれぞれのペットに着せることによって人と同じような結婚式の雰囲気を出して商品価値の高い写真撮影することが可能になり優れた効果を発揮する。
【発明を実施するための最良の形態】
【０００９】
以下、本発明に係るペットの結婚式用スタジオ設備について詳述する。
(１)実施形態１
図１〜図４は本発明のペットの結婚式用スタジオ設備(以下、単に「スタジオ設備」という。)の一形態で、図１はその説明側面図、図２は図１の要部正面図、図３は他態様のバックスクリーンの正面図である。
【００１０】
本スタジオ設備は写真館などの建家内に設けられるもので、ステージ台１とバックスクリーン２とペット用花婿衣装３と花嫁衣装４とカメラ５と画像表示装置６と照明器具７とを具備する。
【００１１】
ステージ台１は高さを自在調節できるようにして、上面にペット８が乗ることのできる平らなステージを形成した台である。ステージ台１は伸縮部１０ｂを設けて昇降自在リフト１０とし、さらに該昇降自在リフト１０の天板１０ａ上に一回り大きな方形板(例えば１ｍ×２ｍ)からなるステージ板１１を載置して、その上面が床面より一段高くなる台とする。本実施形態の昇降自在リフト１０は株式会社をくだ屋技研製リフトテーブルコティ(型式：LT-2S10-0407)を使用する。床面ＦＬに配した該ステージ台１に並んで嵩上盤が隣接設置されており、昇降自在リフト１０が最も収縮したときに、ステージ台１の高さが嵩上盤Ｋの高さにほぼ一致する(図１の鎖線)。二匹のペット８ａ,８ｂにそれぞれ花婿衣装３と花嫁衣装４を着せ、ステージ台１にそれら二匹のペット８ａ,８ｂを配した後、昇降自在リフト１０を伸長させると図１の実線図示のごとくステージ盤の上面が床面から１ｍほどの高さまで上昇させることができる。ステージ台１が上昇することによって、ペット８が床面より一段高い高所に置かれるのでおとなしくなり、ペット８の写真撮影がスムーズにいく。またステージ台１が高くなることによって、しゃがんで写真を撮ったりする必要がなくなり、楽な姿勢で写真撮影ができる。なおステージ台１及び嵩上盤Ｋの周りには、ステージ台１が上昇する際に転んで怪我などが起こらぬようクッション材(図示せず)が配設される。
【００１２】
バックスクリーン２は帯状のシート面２０の全面に亘って教会の写真２１又は絵２２が表現された垂れ幕である。スタジオ建家の壁や梁等に支軸２ｂが水平になるよう取着されてスクリーン２ａを吊設する。バックスクリーン２は前記ステージ台１の背後に吊設されて垂れ下ると共に、スクリーン２ａ長さを床面ＦＬから支軸２ｂまでの高さより長くして、その垂れ下った垂直部２５の下部が屈曲して水平部２６を形成し、該水平部２６がステージ台１上に敷かれる。バックスクリーン２のシート面２０には教会の写真２１又は絵２２が上手く描かれており、前記ステージ台１上に敷かれた水平部２６にペット８を乗せて写真を撮ると、教会をバックに写真撮影されたと見間違えるほどになる。ステージ台１の背後で吊設されて垂れ下る垂直部２５、さらにここから延びる水平部２６には図２のごとくの教会内部が描かれる。バックスクリーン２の垂直部２５から水平部２６に至る部分が緩やかに屈曲し、水平部２６がカメラ５のある手前近くまで延びるよう配設される。丈の短いバックスクリーン２を吊設しスクリーン下縁２７を床近くに設けると、その切れた下縁部分が写真に撮ったときに現れ、スクリーン２ａであることがバレてしまうが、垂直部２５から水平部２６に至る部分が緩やかに屈曲しカメラのある手前まで延びることによって教会バックの背景が写真２１又は絵２２であることが見破られずに済む。
【００１３】
さらに遠近法によって、垂直部２５と調和がとれた格好で、水平部２６に教会内部の通路Ｄ又は床面を描いて、該通路Ｄ又は床面にペット８を乗せることで写真に遠近感をもたせ、教会をバックに写真撮影したものと写真を見る人に錯覚させ易くする。下にステージ台１を置いて敷かれる水平部２６にペット８を乗せることとなるが、該水平部２６を人の歩く絨毯等の通路Ｄ又は床面とし、且つ該通路又は床面が図２のごとく真っ直ぐに祭壇の所まで延びる遠近法描写がなされると、より一層の臨場感溢れる写真を作成できる。
【００１４】
バックスクリーン２はステージ台１を覆ってバックスクリーン下縁２７が床面にまで達するようにする。斯る構成を採ることによって、小道具のステージ台１が隠れてしまうので、ペット８をおとなしくするために用意したステージ台１が写真撮影の妨げになることはない。ここでのバックスクリーン２は縦長の帯状で、そのシート面２０は幅が約２ｍで、長さがスクリーン上縁から垂直部２５,水平部２６を経て下縁２７のところまで含めて全長約５ｍの大きさがある。
【００１５】
本実施形態はバックスクリーン２のシート面２０に図２のような教会の写真２１又は絵２２を描いたが、これに代え例えば図３のような神父又は牧師がいる教会の写真２１又は絵２２を描くこともできる。教会の外の写真２１又は絵２２にするものであってもよいが、図２,図３のごとく教会内部の写真２１又は絵２２である方が結婚式を挙げている様子をリアルに表現できるのでより好ましい。
【００１６】
花婿衣装３と花婿衣装３は二匹の夫々のペットサイズの大きさにして、夫々のペット８が着用する結婚式用に仕立てられたペアの衣装である。花婿衣装３,花婿衣装３は洋装のものとする。
本実施形態の花婿衣装３は図示のごとくタキシード３０とネクタイ３１とからなり、タキシード３０は黒色にしてペット８(犬)の四本の足に通して花婿用ペット８ａに着せ、ネクタイ３１をペットの首に取り付けることによって一匹のペットを新郎のような正装姿にする。また花嫁衣装４はウェディングドレス４０とヴェール４１とからなり、白のウェディングドレス４０を花嫁用ペット８ｂに着せヴェール４１を被せ、もう一匹のペットを新婦のような正装姿にする。タキシード３０に代え燕尾服とすることができる。また必要に応じ、花嫁衣装４にブーケ等を加えることができる。
ここで、結婚式用の花婿衣装３や花嫁衣装４に関しては男紋服と内掛の和装もあるが、ペット８にかつらをつけたりするのが難しく、さらに写真に撮ったときに華やいだ雰囲気を出しづらいので洋装の方がより好ましい。また背景を教会にして洋装スタイルにした方が、和式スタイルのものより写真が映えるので本発明はこれを採用する。
【００１７】
カメラ５はペット８を写すためのもので、ここではフィルム方式のアナログカメラ５ａとこれに同調するデジタルカメラ５ｂとを備え、さらに該デジタルカメラ５ｂに接続する画像表示装置６を備えて該画像表示装置６に前記アナログカメラ５ａの撮った写真を映し出せるようにする。アナログカメラ５ａ,デジタルカメラ５ｂはバックスクリーン２の垂直部２５と対向するようにしてステージ台１から所定距離離して前方手前(図１の右方)に設置される。
アナログカメラ５ａのシャッターとデジタルカメラ５ｂのシャッターを連動するように配線ｆ１でつなぎ、アナログカメラ５ａで撮った写真と同様のデジタル化された画像がデジタルカメラ５ｂで撮影される。そして、デジタルカメラ５ｂと画像表示装置６とを配線ｆ２で接続することによって、デジタルカメラ５ｂに映し出される画像を画像表示装置６の画面に大きく映し出せるようにしている。アナログカメラ５ａで撮った全ての写真と同様のデジタル写真を画像表示装置６の画面に次々と映し出すことができる。ペット主はそれらのなかからお気に入り写真だけを選び、しかる後、それに対応するアナログカメラ５ａのフィルムを現像して陰画をつくり、それだけを印画紙に焼き付けて所望の陽画写真を得ることとなる。
【００１８】
照明器具７は写真が綺麗に撮れるようペット８を照らすものである。本実施形態はメインライト７ａがスタジオ建家の天井内壁Ｔ１に取り付けられ(図１)、フロントライト７ｃがカメラ５の前方位置(図１の右方位置)の床面ＦＬに起立してステージ台１を照らすように配設され、さらにステージ台１上にアクセントライト７ｂが配置されている。カメラ５のシャッターを切った瞬間に、これらメインライト７ａ,フロントライト７ｃ,アクセントライト７ｂがライティングし、ハイライトを引き立たせ写真の出来栄えを良好にする。また、証明器具７に付随して影を抑える図示しないレフ板が必要に応じ用いられる。
【００１９】
(２)実施形態２
本実施形態は写真館などの建家内に設けられた実施形態１と違って、スタジオ設備全体が車両に搭載されるものである。図４は図１のスタジオ設備をそのまま車両に搭載した概略側面図を示す。
コンテナトラック車両のコンテナ部分を改造し、コンテナ室内に本スタジオ設備を設ける。図４中、符号Ｍａは運転車両頭部、符号Ｍｂは荷台、符号Ｍｄはコンテナで、該コンテナＭｄは後部に観音開きの扉(図示せず）が設けられている。符号Ｍｃは車輪、符号Ｇは発電機で主に照明器具７に必要とされるものである。
【００２０】
高さを自在調節できるようにして、上面にペット８が乗ることのできる平らなステージを形成したステージ台１がコンテナ床面Ｍｄ１に設置される。また、シート状のシート面２０に教会の写真２１又は絵２２が描かれ、且つ前記ステージ台１の背後に吊設されて垂れ下ると共にその垂れ下った下部が折曲して水平部２６を形成し、該水平部２６が前記ステージ台１上に敷かれるバックスクリーン２が設けられる。コンテナＭｄの天井壁或いは立壁に支軸２ｂを係止してスクリーン２ａが吊設される。バックスクリーン２の帯状シート面２０に教会内部の写真２１又は絵２２が描かれ、且つ前記水平部２６に遠近法によって教会内部の通路Ｄ又は床面が描かれている。そして、ペットサイズの大きさにして二匹のペット８がそれぞれ着用する洋装の花婿衣装３及び花嫁衣装４を備え、またコンテナＭｄ内にカメラ５と画像表示装置６と照明器具７がセット配置される。他の構成は実施形態１と同様でその詳細説明を省く。実施形態１と同一符号は同一又は相当部分を示す。本実施形態はコンテナトラック車両のコンテナ部分を改造し、ここにステージ台１とバックスクリーン２と花婿衣装３及び花嫁衣装４とカメラ５と画像処理装置６と照明器具７が車両搭載されて移動可能にしたが、これに代え、トレーラに本スタジオ設備を載せて、トレーラトラクターに牽引させる移動可能なスタジオ設備とすることもできる。
【００２１】
このように構成したスタジオ設備は、スタジオ写真館などでカメラ５,画像表示装置６,照明器具７等の写真撮影機器類を一式備え、且つバックスクリーン２,花婿衣装３及び花嫁衣装４を具備して、二匹のペット８にそれぞれ洋装の花婿衣装３と花嫁衣装４を着せて教会の写真２１又は絵２２をバックに写真が撮れるので、ペット８の結婚式の姿を綺麗な形で写真に残すことができる。実際に教会に出向くことなく、いままでに存在しない斯るスタジオ設備を使って晴れの舞台となる結婚式の写真を撮り、ペット用結婚式を味わえるので、ペット主の満足度は非常に高いものとなる。バックスクリーン２の帯状シート面２０の全面に亘って教会の写真２１又は絵２２が表現されるので、結婚式の雰囲気を一層盛り立てる。さらにステージ台１の背後でバックスクリーン２が吊設されて垂れ下ると共にその垂れ下った下部が折曲して水平部２６を形成し、該水平部２６がステージ台１上に敷かれこの敷かれた水平部２６の上にペット８が乗って写真撮影が行われることにより、バックスクリーン２の境界線が写真に現れなくなるのでスタジオセットは完璧となり、写真が出来た時、ペット８の写真の背景部分はバックスクリーン２に描かれた教会の写真２１又は絵２２が実物と見間違えるほどのものに仕上がる。加えて、バックスクリーン２のシート面２０に教会内部の写真又は絵２２が描かれるので、結婚式の模様をよりリアルに写真に残すことができる。水平部２６に遠近法によって教会内部の通路Ｄ又は床面が描かれているので、写真にしたとき、ペット８が実際、教会内部のそこに居るような雰囲気を出す。本スタジオ設備によって、二匹のペット８があたかも教会で結婚式を挙げたような満足度の高い写真を提供できる。
【００２２】
また、高さを自在調節できるようにして、上面にペット８が乗ることのできる平らなステージを形成したステージ台１を設けているので、高くしたこのステージ台１上にペット８を乗せて写真を撮ればペット８が行儀良くなり、綺麗な写真を簡単に撮ることができる。床面から高所のステージ台１上に敷かれた水平部２６の上に花婿衣装３及び花嫁衣裳を身につけた二匹のペット８を配して写真撮影のセット準備をするが、この段階で高所に置かれた二匹のペット８は地上で動き回っていてもおとなしくなり、写真撮影へとスムーズに移行できる。また写真撮影は該ステージ台１によって対象の二匹のペット８が所定高さまで持ち上げられているので、小さなペット８であってもこれまでのようにしゃがみこんで写真を撮る必要がなく、楽な姿勢で写真が撮れる。
【００２３】
また、アナログカメラ５ａとこれに同調するデジタルカメラ５ｂとを具備し、さらに該デジタルカメラ５ｂに接続する画像表示装置６を具備することによって、該画像表示装置６にアナログカメラ５ａの撮った写真と同様のデジタル画面を映し出せるので、アナログカメラ５ａの写り具合を前もって確認できる。従って、そのなかから気に入った画像だけを選び出し、それだけを無駄なく現像処理して印画紙に焼き付け陽画の写真に仕上げることができる。
さらに、実施形態２のごとくステージ台１とバックスクリーン２と花婿衣装３及び花嫁衣装４とカメラと画像表示装置と照明器具の写真撮影機器類を備えて、これらが車両に搭載又は牽引されて移動可能にすると、写真撮影する側がペット主の方へ出向いてそこで写真が撮れる。ペット主がペット８を連れてわざわざ写真館に出向かずに済み、ペット主はいたって重宝する。
尚、本発明においては前記実施形態に示すものに限られず、目的,用途に応じて本発明の範囲で種々変更できる。ステージ台１,バックスクリーン２,ペット用花婿衣装３及び花嫁衣装４等の形状,大きさ,材質等は用途に合わせて適宜選択できる。
【図面の簡単な説明】
【００２４】
【図１】実施形態１のペットの結婚式用スタジオ設備の説明側面図である。
【図２】図１の要部正面図である。
【図３】他態様のバックスクリーンの正面図である。
【図４】実施形態２のペットの結婚式用スタジオ設備の説明側面図である。
【符号の説明】
【００２５】
１            ステージ台
２            バックスクリーン
２０          シート面
２１          教会の写真
２２          教会の絵
２６          水平部
３            ペット用花婿衣装
４            ペット用花嫁衣装
Ｄ            教会内部の通路
Ｍ            車両
【図１】
2006271344.tif 000003
【図２】
2006271344.tif 000004
【図３】
2006271344.tif 000005
【図４】
2006271344.tif 000006